(57)【要約】      （修正有）【課題】重ね合わせた状態で使用者が片手でも衛生紙収納などから取り出し易い衛生紙を提供する。【解決手段】水に溶けやすい溶解性を有する衛生紙１に、ライン状の複数の凹凸形状をそれぞれ平行に形成した。また、衛生紙パック５は、複数の衛生紙を積層し、その積層した複数の衛生紙を、水に溶けやすい溶解性を有する包装紙２により包装する。そして、複数の衛生紙１は、それぞれの凹凸形状のライン状の方向がそれぞれ同一となるように、積層されている。包装紙２の片端の一周には、ミシン目６が設けられており、ミシン目６に沿って前記包装紙２を切断することにより衛生紙パック５の開口面８が形成される。このミシン目６により、包装紙２を簡単に開封することができ、開口面８から衛生紙１を取り出すことができる。【選択図】図３
0003179792.tif 000002
【実用新案登録請求の範囲】
【請求項１】
ライン状の複数の凹凸形状をそれぞれ平行に形成したことを特徴とする衛生紙。
【請求項２】
水に溶けやすい溶解性を有することを特徴とする請求項１に記載の衛生紙。
【請求項３】
複数の凹凸構造を有する上治具と下治具との間に前記衛生紙を挟み込んで、プレス加工を行うことにより、凹凸形状を形成したことを特徴とする請求項１又は請求項２に記載の衛生紙。
【請求項４】
請求項１から請求項３に記載の複数の衛生紙が積層され、その積層された複数の衛生紙を包装紙により包装したことを特徴とする衛生紙パック。
【請求項５】
前記包装紙は、水に溶けやすい溶解性を有することを特徴とする請求項４に記載の衛生紙パック。
【請求項６】
前記包装紙により前記衛生紙を取り出すための開口面が形成され、前記衛生紙のライン状の前記凹凸形状に対して水平な水平方向と前記開口面とが垂直になるように、複数の衛生紙を前記包装紙により包装したことを特徴とする請求項４又は請求項５に記載の衛生紙パック。
【請求項７】
前記包装紙は片端の一周にミシン目を有し、ミシン目に沿って前記包装紙を切断することにより前記開口面が形成されることを特徴とする請求項４乃至請求項６のいずれかに記載の衛生紙パック。
【考案の詳細な説明】
【技術分野】
【０００１】
本考案は、トイレット衛生紙、衛生紙タオル、キッチン衛生紙などの衛生紙及び包装紙により包装された衛生紙パックに関するものである。
【背景技術】
【０００２】
トイレット衛生紙などの衛生紙は、ペーパーホルダーに取り付けるため、ロール状に巻取られて使用するのが大多数を占めている。ロール状に巻取られた衛生紙を使用するためには、使用者は両手でロールから衛生紙を引き出し、カットする必要がある。（特許文献１参照）
【先行技術文献】
【特許文献】
【０００３】
【特許文献１】実開平０７−０３６８８７号公報
【考案の概要】
【考案が解決しようとする課題】
【０００４】
しかしながら、上述した従来のトイレットペーパーなどの衛生紙は、使用者が片手で衛生紙を収納などから取り出しにくいという問題があった。
【０００５】
そこで、本考案は使用者が片手でも衛生紙の収納などから取り出し易い衛生紙を提供することを目的とする。
【課題を解決するための手段】
【０００６】
上記課題を解決するため、本考案の衛生紙はライン状の複数の凹凸形状をそれぞれ平行に形成したことを特徴とする。
【０００７】
前記衛生紙は水に溶けやすい溶解性を有することを特徴とする。
【０００８】
前記衛生紙は複数の凹凸構造を有する上治具と下治具との間に前記衛生紙を挟み込んで、プレス加工を行うことにより、凹凸形状を形成したことを特徴とする。
【０００９】
また、本考案の衛生紙パックは複数の衛生紙が積層され、その積層された複数の衛生紙を包装紙により包装したことを特徴とする。
【００１０】
前記衛生紙パックは、前記包装紙が水に溶けやすい溶解性を有することを特徴とする
【００１１】
前記衛生紙パックは、前記包装紙により前記衛生紙を取り出すための開口面が形成され、前記衛生紙の前記凹凸形状に対して水平な水平方向と前記開口面とが垂直になるように、複数の衛生紙を前記包装紙により包装したことを特徴とする。
【００１２】
さらに、前記衛生紙パックは、前記包装紙が片端の一周にミシン目を有し、ミシン目に沿って前記包装紙を切断することにより前記開口面が形成されることを特徴とする。
【考案の効果】
【００１３】
本考案によれば、重ね合わせた状態の衛生紙は複数のそれぞれ平行する凹凸形状がライン状に形成されているため、使用者は片手でも衛生紙を収納などから簡単に取り出すことができる。
【図面の簡単な説明】
【００１４】
【図１】本考案の一形態に係る衛生紙の斜視図である。
【図２】本考案の衛生紙をプレス加工する方法を示す図である。
【図３】本考案の包装紙に包装される衛生紙パックを示す図である。
【図４】本考案の衛生紙パックを収納に収納された状態を示す図である。
【考案を実施するための形態】
【００１５】
以下、図面を参照して本考案の実施例を詳述する。ただし、考案の範囲は、図示例に限定されることではなく、適宜に変形してよい。
【００１６】
以下の説明では、図１に示す本考案の衛生紙１の短辺と平行する方向を縦方向とし、衛生紙１の長辺方向と平行する方向を横方向とする。
【００１７】
図１は本考案を示す一枚の衛生紙１である。当該衛生紙１は、平らな衛生紙の短辺と平行する方向に、複数の凹凸形状３が、それぞれ平行するライン状に形成されている。
【００１８】
それぞれ平行するライン状に形成された、複数の凹凸形状３により、衛生紙１は複数枚重ね合わせた状態になっても、使用者が片手で衛生紙１を収納などから簡単に取り出すことがでる。さらに、ライン状の複数の凹凸形状３により、衛生紙１の横サイズもコンパクトになることができる。
【００１９】
なお、平らな衛生紙の長辺と平行する横方向に、複数の凹凸形状３が、それぞれ平行するライン状に形成されてもよい。また、それぞれ平行するライン状に、形成された複数の凹凸形状３は、衛生紙１の対角線と平行するように、形成してもよい。
【００２０】
また、衛生紙１はトイレットペーパーとして使用する場合、水に溶けやすい溶解性を有する。このため、使用後の衛生紙１をトイレの水の中に捨てることができ、ごみの処理に手間がかからない。
【００２１】
なお、当該衛生紙１はトイレットペーパーとして使うことだけではなく、ポケットティシュペーパーとして使ってもよい。
【００２２】
また、衛生紙１は、水に溶けやすい溶解性を有さずに、ライン状の複数の凹凸形状がそれぞれ平行に形成されているだけでもよい。
【００２３】
図２は本考案の衛生紙１を製造する方法を示す図である。平らな衛生紙１を、複数のそれぞれ平行するライン状に形成された凹凸形状を有する上治具４ａと、下治具４ｂと、の間に設置する。その後、二つの冶具をあわせるように駆動装置（図示しない）により駆動され、平らな衛生紙にプレス加工を実施する。プレス加工後、平らな衛生紙は、それぞれ平行するライン状に形成された複数の凹凸形状３を有する衛生紙１になる。
【００２４】
なお、本考案の衛生紙１は砕木パルプ、再生パルプあるいはこれらかの混合物から成る群から選択されたパルプスリラーを抄紙機を用いて抄紙し、出水、乾燥、スプレイ加工により形成してもよい。
【００２５】
図３の（ａ）は水に溶けやすい溶解性を有する包装紙２に包装された衛生紙パック５の斜視図である。
【００２６】
衛生紙パック５は、複数の衛生紙１が積層され、その積層された複数の衛生紙１を包装紙２により包装されている。そして、複数の衛生紙１は、それぞれの凹凸形状３のライン状の方向がそれぞれ同一となるように、積層されている。
【００２７】
包装紙２の片端の一周には、ミシン目６が設けられており、ミシン目６に沿って前記包装紙２を切断することにより衛生紙パック５の開口面８が形成される。このミシン目６により、包装紙２を簡単に開封することができ、開口面８から衛生紙１を取り出すことができる。
【００２８】
なお、衛生紙パック５の開口面８を形成するにあたり、包装紙２の片端の一周にミシン目６を有さずに、包装紙２に予め開口面８を形成しておき、その開口面８をシールなどにより覆うように構成してもよい。
【００２９】
図３（ｂ）は包装紙２に包装された衛生紙パック５の開口図である。
【００３０】
図３（ｂ）に示すように、衛生紙パック５は、積層された複数の衛生紙１のライン状の凹凸形状３に対して水平な水平方向と開口面８とが垂直になるように、複数の衛生紙１が包装紙２より包装されている。すなわち、衛生紙１の凹凸形状３のライン状の方向と、衛生紙１の取り出し方向（開口面８と垂直方向）とが水平している。これにより、重ね合わせた状態の衛生紙１の間の摩擦抵抗が小さくなり、使用者は、衛生紙パック５の開口面８から衛生紙１を片手でもスムーズに取り出すことができる。
【００３１】
さらに、図３に示す包装紙２は水に溶けやすい溶解性を有するため、衛生紙１が使い切れたら、当該包装紙２をトイレの水にも捨てることができ、ごみの処理に手間をかからないものである。
【００３２】
なお、包装紙２は、水に溶けやすい溶解性を有さずともよい。
【００３３】
図４は包装紙より包装された衛生紙パック５を、衛生紙ホルダー７に置いて使用する場合の図である。衛生紙ホルダー７は壁やペーパーホルダーに固定されて使用する。このような衛生紙ホルダー７を用いる場合、衛生紙１をホルダー開口部９から一枚ずつ取り出して使うこととなる。
【００３４】
このホルダー開口部９の開口面と、衛生紙パック５の開口面８とが平行であることから、使用者は、ホルダー開口部９から衛生紙１を片手でもスムーズに取り出すことができる。
【００３５】
なお、衛生紙ホルダー７には、衛生紙パック５を置くことに限らず、複数の衛生紙１を凹凸形状３のライン状の方向がそれぞれ同一となるように、複数の衛生紙１を積層して置いてもよい。この場合、衛生紙１の凹凸形状３のライン状の方向と、ホルダー開口部９から衛生紙１の取り出す方向（ホルダー開口部９の開口面と垂直方向）とを平行にすればよい。
【００３６】
以上のように、本考案の衛生紙１及び衛生紙パック５はそれぞれ平行するライン状の凹凸形状が形成されているため、使用者は片手でも重ね合わせた衛生紙１を収納などから簡単に取り出すことができる。
【符号の説明】
【００３７】
１    衛生紙                                ２    包装紙
３    凹凸形状                              ４ａ  上治具
４ｂ  下治具                                ５    衛生紙パック
６    ミシン目                              ７    衛生紙ホルダー
８    開口面                                ９    ホルダー開口部
【図１】
0003179792.tif 000003
【図２】
0003179792.tif 000004
【図３】
0003179792.tif 000005
【図４】
0003179792.tif 000006